(57)【要約】      （修正有）【課題】磁気的な抵抗力を用いて、内ねじスリーブと金属円盤の動作を制限させ、安定したダンピング性能を有する直線変位ダンパー構造を提供する。【解決手段】直線変位ダンパー構造は、位置を固定する棒ねじ１と、金属円盤２と、内ねじスリーブ３と、制御部材４とを備え、棒ねじは、金属円盤に接続され、内ねじスリーブが棒ねじに螺合され、内ねじスリーブは、外部装置に接続され、且つ外部装置の連動により棒ねじに沿う直線変位をさせ、棒ねじは、金属円盤と連動して回転される。金属円盤の付近に、永久磁石を有する制御部材が設けられる。金属円盤が渦電流による磁気抵抗力を生成することによって、回転速度が低減される。また、制御部材は駆動部材により駆動され、制御部材と金属円盤との距離を変化させることによって、磁気な抵抗力の大きさを調整する。【選択図】図１
0003215879.tif 000002
【実用新案登録請求の範囲】
【請求項１】
棒ねじと、金属円盤と、内ねじスリーブと、制御部材と、駆動部材とを備える直線変位ダンパー構造であって、
前記棒ねじは、前記直線変位ダンパー構造の位置を固定し、
前記金属円盤は、前記棒ねじに連結され、
前記内ねじスリーブは、前記棒ねじと螺合され、
前記内ねじスリーブは、外部装置に連結され、且つ前記外部装置の連動により前記棒ねじに沿って直線変位され、前記棒ねじと前記金属円盤とを連動して回転させ、
前記制御部材は、前記金属円盤の付近に設けられ、前記制御部材には永久磁石が設けられ、
前記駆動部材は、前記制御部材の移動を駆動させ、前記制御部材と前記金属円盤との距離を変化させる、
ことを特徴とする直線変位ダンパー構造。
【請求項２】
前記金属円盤は、アルミニウム合金製の金属円盤である、ことを特徴とする請求項１に記載の直線変位ダンパー構造。
【請求項３】
前記棒ねじと前記金属円盤とが伝動機構を介して連結され、前記伝動機構が前記棒ねじの回転動作を伝達し、前記金属円盤の回転を駆動させる、ことを特徴とする請求項１に記載の直線変位ダンパー構造。
【請求項４】
前記伝動機構がベルト滑車である、ことを特徴とする請求項３に記載の直線変位ダンパー構造。
【考案の詳細な説明】
【技術分野】
【０００１】
本考案は、ダンパーの構成に関し、特に伝動桿の直線変位により、磁気的な抵抗力を生じさせるダンパーに関する。
【背景技術】
【０００２】
スポーツトレーニング機器或いはリハビリ用機器において、通常ダンパーを設け、動作中の抵抗力を増加させることは、トレーニングの目的を達成するように用いられる。一般的なダンパーは、油圧シリンダーや空気圧シリンダーなどの圧力シリンダーであり、ダンパーのピストンロッドが、トレーニング機器のある構成に接続され、前記構成の往復変位によって、前記ピストンロッドを連動させる。前記ピストンロッドは、シリンダー内の流体により形成される抵抗力を受けるため、ピストンロッドの可動性が低下する。使用者は、トレーニング機器を動作させるために、より多くの体力を消耗しなければならず、トレーニングの目的を達成する。
【０００３】
しかしながら、周知の油圧シリンダーでは、ピストンロッドの往復変位によって、シリンダー内の流体とオイルシールとが頻繁に擦れて高温になりやすく、オイルシールが硬化して破損することがある。これによって、オイル漏れが発生し、ダンピング効果が低下する。一方、シリンダー内の流体温度の変化は、流体の物理的特性を変化させ、ダンピング性能は不安定になり、トレーニング機器の抵抗力を規格化することができなくなる。
【考案の概要】
【考案が解決しようとする課題】
【０００４】
本考案の目的とは、内ねじスリーブの直線変位によって金属円盤の回転を駆動させ、永久磁石と前記金属円盤との作用による渦電流が形成された磁気的な抵抗力を用いて、前記内ねじスリーブと前記金属円盤の動作を制限させる、直線変位ダンパー構造を提供することである。
【課題を解決するための手段】
【０００５】
前述した目的を達成するために、本考案は、直線変位ダンパー構造を提供し、前記直線変位ダンパー構造は、棒ねじと、金属円盤と、内ねじスリーブと、制御部材と、駆動部材とを備え、
前記棒ねじが、前記直線変位ダンパー構造の位置を固定し、
前記金属円盤は、前記棒ねじの一端に設けられ、
前記内ねじスリーブは、前記棒ねじに螺接され、
前記内ねじスリーブは、外部装置に接続され、且つ前記外部装置の連動により棒ねじに沿って直線に変位され、前記棒ねじを前記金属円盤と連動して回転させ、
前記制御部材は、前記金属円盤の付近に設けられ、前記制御部材には永久磁石が設けられ、
前記駆動部材は、前記制御部材の移動に駆動させ、前記制御部材と前記金属円盤との距離を変化させる。
【０００６】
前記棒ねじと前記金属円盤とが伝動機構を介して連結させ、伝動機構が前記棒ねじの回転を伝達し、前記金属円盤の回転を駆動させる。
【図面の簡単な説明】
【０００７】
【図１】図１は本考案に係る直線変位ダンパー構造の立体図である。
【図２】図２は本考案に係る直線変位ダンパー構造の分解図である。
【図３】図３は本考案に係る直線変位ダンパー構造がトレーニング機器に使用される概略図である。
【図４】図４は本考案のもう一つの実施例の概略図である。
【図５】図５は本考案に係る直線変位ダンパー構造の動作状態を示す図である。
【図６】図６は別の視点から見た本考案に係る直線変位ダンパー構造の立体図である。
【図７】図７は別の視点から見た本考案に係る直線変位ダンパー構造の立体図である。
【考案を実施するための形態】
【０００８】
図１及び図２は、本考案に提供される直線変位ダンパー構造を示しており、棒ねじ１と、金属円盤２と、内ねじスリーブ３と、制御部材４とを備える。本実施例において、前記棒ねじ１が台座５に枢設され、且つ前記台座５に位置を固定して枢動される。前記台座５は、互いに離間して設けられる固定部５１Ａと５１Ｂとを備え、２つの固定部の間に作動空間５２が設けられ、且つ固定部５１Ａと５１Ｂとが連接部材５３によって固定されて連接され、前記棒ねじ１が単方向軸受１１によって固定部５１Ａに枢設され、且つ前記棒ねじ１の一端が前記作動空間５２内に延伸する。
【０００９】
また、前記金属円盤２は、前記作動空間５２に設けられ、且つ前記棒ねじ１が前記作動空間５２内に延伸する一端に連結される。本実施例において、前記金属円盤２がアルミニウム合金製の金属円盤である。
【００１０】
前記内ねじスリーブ３は、長螺孔３１を有するスリーブであり、且つ前記棒ねじ１に螺接される。このような設計によって、前記内ねじスリーブ３は、前記棒ねじ１に沿う直線変位によって前記棒ねじ１を駆動させ、図５に示されている回転動作をさせることができる。実際の応用において、前記内ねじスリーブ３は、動作を生じさせる外部装置（例えば、図３に示されているスポーツトレーニング機器８の引手８１）に連結される。使用者が前記引手８１を引くことによって、前記内ねじスリーブ３を前記棒ねじ１に沿う相対的な直線変位させると、前記棒ねじ１が前記内ねじスリーブ３に駆動されて回転し、前記金属円盤２を回転させる。
【００１１】
他の実施例において、図４に示すように、前記棒ねじ１と前記金属円盤２とが伝動機構を介して連結され、前記伝動機構が前記棒ねじ１の回転動作を伝達し、前記金属円盤２の回転を連動させる。具体的には、前記伝動機構がベルト滑車７であっても良い。前記棒ねじ１が第１滑車７１に連結され、前記金属円盤２が第２滑車７２に連結され、前記第１滑車７１と前記第２滑車７２とがベルト７３によって取り囲まれて連結される。これによって、前記棒ねじ１が前記内ねじスリーブ３に連動されて回転する時に、前記第１滑車７１は前記棒ねじ１と同期に回転し、且つ前記ベルト７３の伝動によって、前記第２滑車７２が連動して回転され、前記金属円盤２の回転を駆動できる。上記の前記金属円盤２の回転速度が前記ベルト滑車７によって決定される。具体的には、前記回転速度は、前記第１滑車７１と前記第２滑車７２との車輪径の差で決定される。
【００１２】
また、図１に示すように、前記金属円盤２の付近に、制御部材４が設けられ、前記制御部材４には、永久磁石４３が設けられ、前記金属円盤２に磁気抵抗力を生成させることによって、前記金属円盤２と前記棒ねじ１との回転する抵抗力を増加させ、前記内ねじスリーブ３が前記棒ねじ１に沿う移動の抵抗力を増加させる。本実施例において、図１及び図６を示すように、前記制御部材４が前記作動空間５２に設けられ、且つ枢接端４１によって、その内の一つの連接部材５３に枢設される。前記制御部材４の他の一端は制御端４２とし、前記永久磁石４３が前記制御端４２に設けられる。前記制御端４２が前記金属円盤２の周縁より外に延伸し、且つ前記制御端４２が前記金属円盤２に当接しないように設けられている。
【００１３】
上述した構成により、前記制御部材４の永久磁石４３が磁場を形成しており、前記金属円盤２が前記磁場に位置されるようになる。前記金属円盤２が、前記内ねじスリーブ３の直線変位によって連動して回転されると、レンツの法則（Lenz's Law）に従って、前記金属円盤２に磁束の変化に抵抗力する渦電流が生じ、前記渦電流によって金属円盤２の回転方向Ｄと反対である磁力Ｆが生じられ、前記金属円盤２の回転に抵抗力がさらに形成される。このため、先に動作する内ねじスリーブ３及び前記内ねじスリーブ３に連結する外部装置に対して、前記動作を駆動させるための力への抵抗力が当時に増加され、使用者は駆動するためにより多くの力を払わなければならないため、トレーニングの目的を達成する。
【００１４】
また、上述した構造および抵抗力が形成する過程においては、前記制御部材４が前記金属円盤２に当接していないため、部品同士の摩耗により抵抗力性能に影響を与えないことは、本考案の優れる点である。
【００１５】
さらに、上述した抵抗力は、前記永久磁石４３と前記金属円盤２との間の距離によって調整することができる。本考案において、駆動部材をさらに設けることで、前記制御部材４の移動を駆動させ、前記永久磁石４３と前記金属円盤２との間の距離を変化させることによって、前記渦電流及び前記渦電流で生じた抵抗力の大きさを調整することができる。本実施例において、図６及び図７に示すように、前記制御部材４と前記制御部材４に枢接される連接部材５３との間に、ばね６１が設けられ、前記前記ばね６１によって、常に前記制御部材４の制御端４２を前記金属円盤２に押し続ける。前記制御端４２がひも６３を介してモーター６２に連結され、前記モーター６２が制御によって前記ひも６３を引き、前記制御端４２の位置を設定する。このため、前記永久磁石４３の位置を設定することによって、抵抗力値を調整することができ、本考案が発生する抵抗力を規格化して実用性を有する。
【符号の説明】
【００１６】
棒ねじ１                  単方向軸受１１
金属円盤２              内ねじスリーブ３
長螺孔３１              制御部材４
枢接端４１              制御端４２
永久磁石４３            台座５
固定部５１Ａ、５１Ｂ    作動空間５２
連接部材５３              ばね６１
モーター６２                ひも６３
ベルト滑車７                第１滑車７１
第２滑車７２            ベルト７３
スポーツトレーニング機器８          引手８１
回転方向Ｄ              磁力Ｆ
【図１】
0003215879.tif 000003
【図２】
0003215879.tif 000004
【図３】
0003215879.tif 000005
【図４】
0003215879.tif 000006
【図５】
0003215879.tif 000007
【図６】
0003215879.tif 000008
【図７】
0003215879.tif 000009